(57)【要約】      （修正有）【課題】ヒサシ付きリュックサックを提供する。【解決手段】ヒサシ付きリュックサック１００は、使用者の背中部に接触したままで支持され、収納部が固定されるリュックサックフレームと、リュックサックフレームの上側に着脱可能に取り付けられる固定フレーム２１、固定フレームに折畳可能に取り付けられる折畳フレーム２３、及び折畳フレームに斜めに取り付けられるヒサシフレーム２５を含むヒサシボディー部２０と、折畳フレームの回転状態を固定するストッパー部２７と、固定フレームと折畳フレームとヒサシフレームにわたって覆うヒサシカバー５０と、ヒサシフレームに取り付けられ、使用者の頭部に強制で空気を供給する回転ファン３０と、を含む。【選択図】図１
0003235548.tif 000002
【実用新案登録請求の範囲】
【請求項１】
使用者の背中部に接触したままで支持され、収納部が固定されるリュックサックフレームと、
前記リュックサックフレームの上側に着脱可能に取り付けられる固定フレーム、前記固定フレームに折畳可能に取り付けられる折畳フレーム、及び前記折畳フレームに斜めに取り付けられるヒサシフレームを含むヒサシボディー部と、
前記折畳フレームの回転状態を固定するストッパー部と、
前記固定フレームと前記折畳フレームと前記ヒサシフレームにわたって覆うヒサシカバーと、
前記ヒサシフレームに取り付けられ、使用者の頭部に強制で空気を供給する回転ファンとを含む、ヒサシ付きリュックサック。
【請求項２】
前記リュックサックフレームは、
使用者の背中部に支持されるフレームボディーと、
前記フレームボディーに取り付けられ、前記固定フレームが着脱可能に挿入される挿入部とを含む、請求項１に記載のヒサシ付きリュックサック。
【請求項３】
前記折畳フレームに取り付けられ、前記回転ファンに回転駆動力を提供するバッテリー部材をさらに含む、請求項１に記載のヒサシ付きリュックサック。
【請求項４】
前記リュックサックフレームに着脱可能に付着される補助収納部をさらに含む、請求項１に記載のヒサシ付きリュックサック。
【請求項５】
前記固定フレームと前記折畳フレームの側面には固定突起がそれぞれ突設され、
前記ストッパー部は、
前記折畳フレームが前記固定フレームに対して回転した状態で、前記固定突起が挿入される固定ホールが両側にそれぞれ形成された固定片である、請求項１に記載のヒサシ付きリュックサック。
【請求項６】
前記折畳フレームの側面には、車両カバーの側面に延設される延長カバーが形成され、
前記延長カバーの縁部一側は、前記固定フレームに付着された前記ヒサシカバーに固定部材によって着脱可能に固定される、請求項１に記載のヒサシ付きリュックサック。
【請求項７】
前記リュックサックフレームにおいて、使用者の背中部に接触したままで支持される側面に付着され、電源供給によって発熱する発熱パッドと、
前記リュックサックフレームに固定され、前記発熱パッドに駆動電源を供給する電源供給部とをさらに含む、請求項１に記載のヒサシ付きリュックサック。
【考案の詳細な説明】
【技術分野】
【０００１】
本考案は日光に対する遮光の可能なヒサシ付きリュックサックに関するものである。
【背景技術】
【０００２】
一般に、旅行用リュックサックは、嵩が大きいか重いカバンとは違い、携帯可能な程度の体積及び大きさのものであり、肩又は背中に担ぐことができるひもを備えている。
【０００３】
リュックサックは山登りや長距離旅行を行うか又は公園を散歩する程度の軽い外出を行うときに使用者が必要とする各種の物品を入れて携帯するためのものである。
【０００４】
このようなリュックサックに携帯するものの中には、傘、洋傘、雨着などがある。
【０００５】
傘や雨着は旅行中に雨や雪などが降るときに備えるものであり、洋傘は夏期又は昼に強い日光から眩しさを防止するか強い光による旅行の疲れを減らすためのものである。
【０００６】
しかし、傘、洋傘、雨着などをリュックサックに携帯すれば、リュックサックの体積及び重量が大きくなり、いずれか片手で傘又は洋傘を握っていなければならないから、手が不自由になるだけでなく、風が吹けば傘又は洋傘を握っている手によって大きな力が消耗される問題点がある。
【先行技術文献】
【特許文献】
【０００７】
【特許文献１】韓国公開特許第１０−２０１５−０１０２８９１号公報
【考案の概要】
【考案が解決しようとする課題】
【０００８】
本考案の一実施例は、使用者の背中部に接触したままで支持され、収納部が固定されるリュックサックフレームと、リュックサックフレームの上側に着脱可能に取り付けられる固定フレーム、固定フレームに折畳可能に取り付けられる折畳フレーム、及び折畳フレームに斜めに取り付けられるヒサシフレームを含むヒサシボディー部と、折畳フレームの回転状態を固定するストッパー部と、固定フレームと折畳フレームとヒサシフレームにわたって覆うヒサシカバーと、ヒサシフレームに取り付けられ、使用者の頭部に強制で空気を供給する回転ファンと、を含む。
【０００９】
リュックサックフレームは、使用者の背中部に支持されるフレームボディーと、フレームボディーに取り付けられ、固定フレームが着脱可能に挿入される挿入部と、を含むことができる。
【００１０】
折畳フレームに取り付けられ、回転ファンに回転駆動力を提供するバッテリー部材をさらに含むことができる。
【００１１】
リュックサックフレームに着脱可能に付着される補助収納部をさらに含むことができる。
【００１２】
固定フレームと折畳フレームの側面には固定突起がそれぞれ突設されることができる。
【００１３】
ストッパー部は、折畳フレームが固定フレームに対して回転した状態で、固定突起が挿入される固定ホールが両側にそれぞれ形成された固定片であってもよい。
【００１４】
折畳フレームの側面には、車両カバーの側面に延設される延長カバーが形成されることができる。
【００１５】
延長カバーの縁部一側は、固定フレームに付着されたヒサシカバーに固定部材によって着脱可能に固定されることができる。
【課題を解決するための手段】
【００１６】
本考案の一実施例は、顔が日光に露出される環境で適切な日光に対する遮光作動の可能なヒサシ付きリュックサックを提供しようとする。
【考案の効果】
【００１７】
本考案の一実施例によれば、リュックサックの使用状態でヒサシ部を使用者の頭部の位置に回転させて日光に対する遮光の作動をすることができる。さらに、回転ファンの駆動によって使用者の頭部にクーリングエアを供給することができるので、より快適な使用による使用者の満足度を向上させることができる。
【図面の簡単な説明】
【００１８】
【図１】本考案の第１実施例によるヒサシ付きリュックサックを概略的に示す斜視図である。
【図２】図１のヒサシ付きリュックサックを概略的に示す側面図である。
【図３】図１のヒサシ付きリュックサックを概略的に示す背面図である。
【図４】ヒサシ付きリュックサックを概略的に示す平面図である。
【図５】本考案の第２実施例によるヒサシ付きリュックサックを概略的に示す背面図である。
【図６】本考案の第３実施例によるヒサシ付きリュックサックを概略的に示す斜視図である。
【考案を実施するための形態】
【００１９】
本明細書及び請求範囲に使用された用語や単語は通常的又は辞書的意味に限定して解釈されてはならず、考案者は自分の考案を最良の方法で説明するために用語の概念を適切に定義することができるという原則に即して本考案の技術的思想に合う意味と概念に解釈されなければならない。
【００２０】
明細書全般にわたり、ある部分がある構成要素を“含む”というとき、これは特に反対の記載がない限り、他の構成要素を除くものではなくて他の構成要素をさらに含むことができることを意味する。また、明細書に記載された“…部”、“…機”、“モジュール”、“装置”などの用語は少なくとも一つの機能又は動作を処理する単位を意味し、これはハードウェア及び／又はソフトウェアの結合で具現することができる。
【００２１】
明細書全般わたり、“及び／又は”という用語は一つ以上の関連項目から提示可能な全ての組合せを含むものに理解されなければならない。例えば、“第１項目、第２項目及び／又は第３項目”の意味は第１項目、第２項目又は第３項目だけではなく、第１項目、第２項目又は第３項目の中で２個以上から提示可能な全ての項目の組合せを意味する。
【００２２】
以下、図面に基づいて本考案の一実施例について説明する。
【００２３】
図１は本考案の第１実施例によるヒサシ付きリュックサックを概略的に示す斜視図、図２は図１のヒサシ付きリュックサックを概略的に示す側面図、図３は図１のヒサシ付きリュックサックを概略的に示す背面図、図４はヒサシ付きリュックサックを概略的に示す平面図である。
【００２４】
図１〜図４に示したように、本考案の一実施例によるヒサシ付きリュックサック１００は、使用者の背中部に接触したままで支持され、収納部１５が固定されるリュックサックフレーム１０と、リュックサックフレーム１０の上側に着脱可能に取り付けられる固定フレーム２１と、固定フレーム２１に折畳可能に取り付けられる折畳フレーム２３と、折畳フレーム２３に斜めに取り付けられるヒサシフレーム２５と、折畳フレーム２３の回転状態を固定するストッパー部２７と、固定フレーム２１と折畳フレーム２３とヒサシフレーム２５にわたって覆うヒサシカバー５０と、ヒサシフレーム２５に取り付けられ、使用者の頭部に強制で空気を供給する回転ファン３０と、を含む。
【００２５】
リュックサックフレーム１０は、使用者の背中部に接触した状態で支持されるものであり、使用者の背中部全体にわたって支持されるように広い面積を有するように形成されることができる。このようなリュックサックフレーム１０は複数のフレームの組合せで形成されるものであり、使用者の背中の全面に安定的に支持されるように取り付けられることができる。
【００２６】
すなわち、リュックサックフレーム１０は、使用者の背中において肩部と腰部との間に安定的に支持されるように、複数のフレームが組み合わせられて連結された状態に形成されることができる。
【００２７】
より具体的に説明すれば、リュックサックフレーム１０は、使用者の背中部に支持されるフレームボディー１１と、フレームボディー１１に取り付けられ、後述する固定フレーム２１が着脱可能に挿入される挿入部１３とを含むことができる。
【００２８】
フレームボディー１１は使用者の背中部に接触したままで支持される方形フレームから形成されるものであり、複数のフレームが互いに連結された状態で取り付けられることができる。
【００２９】
フレームボディー１１にはストラップ１７が連結される固定部１１ａが形成される。固定部１１ａはフレームボディー１１に形成され、ストラップ１７の端部が挿入固定される固定ホールの形態に形成されることもでき、ストラップ１７の端部がかかって固定される係合突部（図示せず）の形態に形成されることもできる。
【００３０】
フレームボディー１１は耐久性向上のためにエンジニアリングプラスチック素材から形成されるものを例示的に説明するが、必ずしもこれに限定されるものではなく、エンジニアリングプラスチック素材の強度と同一乃至類似の強度を有する所定の素材に適切に変更して適用することも可能である。
【００３１】
フレームボディー１１には、使用者の背中部を横切って支持するように格子状に交差して連結された支持フレーム１２が連結されることができる。もちろん、フレームボディー１１に支持フレーム１２が連結されるものに必ずしも限定するものではなく、使用者の背中部に面接触する所定の支持プレート（図示せず）又は布素材の所定の支持カバー（図示せず）に適切に変更して適用することができる。
【００３２】
一方、フレームボディー１１には、内容物の収納のための収納部１５が着脱可能に固定されることができる。
【００３３】
収納部１５は篭型に形成されるものであり、フレームボディー１１に所定の固定部材を介して着脱可能に固定されることができる。もちろん、収納部１５は必ずしも篭型に限定されるものではなく、布素材のリュックサック型に適切に変形して適用することも可能である。
【００３４】
また、フレームボディー１１には補助収納部１６が着脱可能に固定されることも可能である。
【００３５】
補助収納部１６はフレームボディー１１の縁部の位置にベルクロ部材などの所定の固定部材で着脱可能に固定されるものであり、本実施例では円筒状水筒などが収納できるように付着されるものを例示的に説明する。しかし、補助収納部１６は必ずしも水筒の収納に限定されるものではなく、使用者が簡便に収納することができる一定の大きさ以下の所定の物品を適切に収納することも可能である。
【００３６】
一方、フレームボディー１１の上側には挿入部１３が形成されることができる。
【００３７】
挿入部１３はフレームボディー１１に上側に一対が形成されるものであり、後述する固定フレーム２１の一部が挿入されるように形成されることができる。
【００３８】
挿入部１３はフレームボディー１１の内部に形成されることもでき、フレームボディー１１に挿入管の形状として別に固定されることもできる。
【００３９】
このような挿入部１３はフレームボディー１１の上側に２個が互いに離隔した状態に形成され、後述するヒサシボディー部２０の固定フレーム２１の一部が内部に着脱可能に固定されることができる。
【００４０】
ヒサシボディー部２０は、リュックサックフレーム１０の上側に着脱可能に取り付けられる固定フレーム２１と、固定フレーム２１に折畳可能に取り付けられる折畳フレーム２３と、折畳フレーム２３に斜めに取り付けられるヒサシフレーム２５とを含むことができる。
【００４１】
固定フレーム２１はヒサシボディー部２０の下方に突出するものであり、挿入部１３に一部が挿入された状態で着脱可能に固定されることができる。固定フレーム２１の側面には、挿入部１３に挿入される長さを制限するストッパー突起２１ａが突出することも可能である。
【００４２】
このような固定フレーム２１には折畳フレーム２３が回転可能に連結されることができる。
【００４３】
折畳フレーム２３は固定フレーム２１に回転可能に連結されるものであり、使用者の前方に回転可能に取り付けられることができる。すなわち、折畳フレーム２３は、日光に対する遮光作動が必要な場合、使用者の選択によって固定フレーム２１の前方に選択的に回転することができる。
【００４４】
折畳フレーム２３が固定フレーム２１に対して回転した状態はストッパー部２７によって固定されることができる。
【００４５】
すなわち、ストッパー部２７の一側は折畳フレーム２３に着脱可能に固定され、他側は固定フレーム２１に着脱可能に固定されるので、折畳フレーム２３の回転した状態を固定することができる。
【００４６】
このために、折畳フレーム２３の側面と固定フレーム２１の側面にはそれぞれ固定突起が突出することができる。
【００４７】
すなわち、ストッパー部２７は、両側に固定突起が挿入固定される固定ホールがそれぞれ形成された固定片で形成され、折畳フレーム２３と固定フレーム２１との間に斜めに連結されて折畳フレーム２３の回転状態を固定することができる。
【００４８】
一方、折畳フレーム２３にはヒサシフレーム２５が斜めに取り付けられることができる。
【００４９】
ヒサシフレーム２５は折畳フレーム２３の端部に斜めに取り付けられるものであり、使用者の選択によって傾斜角度が調節された状態で取り付けられることができる。
【００５０】
ヒサシフレーム２５は折畳フレーム２３の端部に一定の押圧力を有するヒンジを介して取り付けられ、所定の回転角度に適切に傾いた状態で取り付けられることができる。このようなヒサシフレーム２５は、この実施例で、折畳フレーム２３に対して３０度の角度に傾いた状態で取り付けられるものを例示的に説明する。
【００５１】
このように、ヒサシフレーム２５が折畳フレーム２３に斜めに取り付けられる理由は、日光に対する遮光の作動がより円滑になり使用者の顔面の方向に回転ファン３０が円滑に送風することができるようにするためである。
【００５２】
すなわち、ヒサシフレーム２５の突出端部には、使用者の頭部に強制で空気を供給する回転ファン３０が取り付けられることができる。回転ファン３０はヒサシフレーム２５が折畳フレーム２３に斜めに回転した状態で作動して、使用者の頭部の方向に強制で空気を供給することが可能である。
【００５３】
回転ファン３０は、この実施例で、把持部が突出したハンディファンが適用されるものを例示的に説明する。以下で、回転ファンとハンディファンには同じ参照符号を使う。
【００５４】
ハンディファン３０はヒサシフレーム２５に着脱可能に装着されることができる。すなわち、ヒサシフレーム２５には所定のクランプが取り付けられるので、ハンディファン３０がヒサシフレーム２５の突出した端部の位置に適切に固定されることが可能である。
【００５５】
また、ヒサシフレーム２５には、後述するバッテリー部材４０と連結されて電源をハンディファンに供給するＵＳＢ端子が取り付けられることも可能である。
【００５６】
このように、ハンディファンが装着されることにより、日光に対する遮光作動とともに夏期などの高温の気候状態で日光の効果的な遮光作動とともにファンによって強制で空気を使用者の頭部に供給することができるので、快適な使用による使用者の満足度向上が可能である。
【００５７】
一方、遮光のためのヒサシカバー５０が付着されることができる。
【００５８】
ヒサシカバー５０は固定フレーム２１と折畳フレーム２３とヒサシフレーム２５にわたって覆うように固定されることができる。ヒサシカバー５０は防水及び紫外線遮断の可能な素材から形成されるものであり、使用者の頭部の方向に照射される紫外線及び雨水を適切に遮断することが可能である。
【００５９】
すなわち、ヒサシカバー５０は固定フレーム２１と折畳フレーム２３とヒサシフレーム２５の全体又は一部に着脱可能に固定されるものであり、本実施例のヒサシ付きリュックサック１００の着用状態で効果的な日光に対する遮光と雨水の部分的な遮断作用を得ることができる。このようなヒサシカバー５０においてポリエチレン素材のメッシュ状に形成されるものを例示的に説明する。
【００６０】
一方、折畳フレーム２３の両側の位置には、延長カバー６０が延設されることも可能である。
【００６１】
延長カバー６０は、折畳フレーム２３の回転する両側面の方向にそれぞれ延設されるものであり、使用者の頭部の方向に照射される日光を適切に遮断するように形成されることができる。
【００６２】
すなわち、延長カバー６０は折畳フレーム２３の側面縁部の位置に連結された状態で使用者の顔面の両側方向に折り曲げられた状態で固定フレーム２１に付着されたヒサシカバー５０に固定部材６１によって着脱可能に固定されることができる。このような延長カバー６０はヒサシカバー５０と同一の素材で形成されることにより、日光及び雨水を円滑に遮断することができる。
【００６３】
固定部材６１は延長カバー６０と固定フレーム２１に付着されたヒサシカバー５０間を固定するジッパー（ｚｐｐｅｒ）を適用することができる。以下で、固定部材とジッパーは同じ参照符号を使う。
【００６４】
このように、ジッパー６１は、ヒサシボディー部２０の使用状態で延長カバー６０とヒサシカバー５０を互いに固定し、未使用状態では延長カバー６０とヒサシカバー５０が分離されることができるように備えられることができる。
【００６５】
一方、ヒサシフレーム２５には、回転ファン３０に電源を供給するバッテリー部材４０が取り付けられることができる。
【００６６】
バッテリー部材４０は折畳フレーム２３に固定され、回転ファン３０に駆動電源を容易に供給することができる。
【００６７】
バッテリー部材４０は充放電可能に取り付けられるものを例示的に説明する。このようなバッテリー部材４０は、この実施例のヒサシ付きリュックサック１００の未使用状態で所定の電源供給によって充電されるものを例示的に説明する。
【００６８】
しかし、バッテリー部材４０はヒサシボディー部又はリュックサックフレーム１０に取り付けられる所定のソーラーパネルからの電源供給によって充電されるものに適切に変更して適用することも可能である。また、バッテリー部材４０は、充放電型ではなくて交替可能な使い捨て型に適切に変更して適用することも可能である。
【００６９】
ヒサシ付きリュックサック１００の未使用状態では、折畳フレーム２３とヒサシフレーム２５が固定フレーム２１に折り畳まれることができる。
【００７０】
ここで、ヒサシカバー５０にはボタン５１が付着されることにより、ヒサシボディー部２０の折畳状態でボタン５１によって折畳状態の安定的な固定が可能である。もちろん、ヒサシボディー部２０は必ずしもボタン５１によって折畳状態が固定されるものに限定されるものではなく、ベルクロ部材（図示せず）などによって折畳状態を固定するなど、適切に変更して適用することも可能である。
【００７１】
前述したように、本実施例は、リュックサックの使用状態で、ヒサシボディー部２０を使用者の頭部の位置に回転させて日光に対して遮光することができる。
【００７２】
また、回転ファンの駆動動作によって使用者の頭部にクーリングエアを供給することができるので、より快適な使用による使用者満足度の向上が可能である。
【００７３】
図５は本考案の第２実施例によるヒサシ付きリュックサックを概略的に示す背面図である。図１〜図４と同一の参照符号は同一乃至類似の機能を有する同一乃至類似の部材を言う。以下で、同一の参照符号についてはその詳細な説明を省略する。
【００７４】
図５に示したように、本考案の第２実施例によるヒサシ付きリュックサック２００のヒサシボディー部２０には、バッテリー部材４０を充電するソーラーパネル１１０が取り付けられることができる。
【００７５】
ソーラーパネル１１０はヒサシボディー部２０の固定フレーム２１の位置に取り付けられ、別途の電源供給なしにバッテリー部材４０を充電するので、回転ファン３０の安定的な駆動が可能である。
【００７６】
図６は本考案の第３実施例によるヒサシ付きリュックサックを概略的に示す斜視図である。図１〜図５と同一の参照符号は同一乃至類似の機能を有する同一乃至類似の部材を言う。以下で、同一の参照符号についてはその詳細な説明を省略する。
【００７７】
図６に示したように、本考案の第３実施例によるヒサシ付きリュックサック３００のリュックサックフレーム１０には、使用者の背中部に接触したままで支持される側面に発熱パッド２１０が付着されることができる。
【００７８】
発熱パッド２１０は電源供給によって発熱する電気毛布型としてリュックサックフレーム１０に付着されるので、低温の気候環境で背中部の加熱によって適切な体温を維持することができる。
【００７９】
発熱パッド２１０は、リュックサックフレーム１０に固定される電源供給部２２０から電源を受けることができる。
【００８０】
電源供給部２２０は、リュックサックフレーム１０に固定されるバッテリー２２１と、バッテリー２２１と発熱パッド２１０を連結するコネクター部材２２３とを含むことができる。
【００８１】
バッテリー２２１は充電可能な二次電池を適用することができ、繰り返し使用が可能であり、コネクター部材２２３はバッテリー２２１と発熱パッド２１０を連結するＵＳＢコネクターを適用することができる。
【００８２】
以上で本考案の好適な実施例について説明したが、本考案はこれに限定されるものではなく、請求範囲と考案の詳細な説明及び添付図面の範囲内で多様に変形して実施することができ、これも本考案の範囲に属するものであるというのは言うまでもない。
【図１】
0003235548.tif 000003
【図２】
0003235548.tif 000004
【図３】
0003235548.tif 000005
【図４】
0003235548.tif 000006
【図５】
0003235548.tif 000007
【図６】
0003235548.tif 000008